【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
アクセサリー・デバイスのコネクターに接続するために、ホスト・デバイスのコネクターを構成設定する方法であって、
前記ホスト・デバイスにおいて、前記アクセサリー・デバイスからアクセサリー・デバイス情報を受け取るステップであって、前記アクセサリー・デバイスが前記ホスト・デバイスに解除可能に取り付けられる、ステップと、
前記受け取ったアクセサリー・デバイス情報に部分的に基づいて、前記ホスト・デバイスを前記アクセサリー・デバイスに接続するためにイネーブルすべき１つ以上の機能を選択するステップであって、該１つ以上の機能を選択することが更に、１つ以上のホスト・デバイス使用許諾に部分的に基づく、ステップと、
前記ホスト・デバイス・コネクターの１つ以上のピンを構成設定するステップであって、前記構成設定が前記ホスト・デバイス・コネクターにおいて前記１つ以上の選択された機能をイネーブルすることを含む、ステップと、
前記１つ以上の選択された機能をサポートするように、前記アクセサリー・デバイス・コネクターの１つ以上のピンを構成設定することを前記アクセサリー・デバイスに命令するステップと、
前記１つ以上のホスト・デバイス使用許諾のうちのホスト・デバイス使用許諾が更新されたかアップグレードされたこと、または新たなホスト・デバイス使用許諾が利用可能であること、を決定するまたはその指示を受けるステップと、
前記更新された、アップグレードされたまたは新たなホスト・デバイス使用許諾に部分的に基づいて、前記ホスト・デバイスを前記アクセサリー・デバイスに接続するためにイネーブルされる１つ以上の機能を選択するステップと、
前記ホスト・デバイス・コネクターの１つ以上のピンを構成設定するステップであって、前記構成設定が前記ホスト・デバイス・コネクターにおいて前記１つ以上の第２の選択された機能をイネーブルすることを含む、ステップと、
前記１つ以上の第２の選択された機能をサポートするように、前記アクセサリー・デバイス・コネクターの１つ以上のピンを構成設定することを前記アクセサリー・デバイスに命令するステップと、
を含む、方法。
【請求項２】
請求項１記載の方法において、前記ホスト・デバイス・コネクターにおいて前記１つ以上の選択された機能をイネーブルするステップが、前記構成設定すべき１つ以上のピンのそれぞれについて、複数のホスト・デバイス・ピン・コントローラーのうちの１つが前記それぞれの１つ以上のピンを制御するように、前記ホスト・デバイスを構成するステップを含む、方法。
【請求項３】
請求項１記載の方法において、前記受け取ったアクセサリー・デバイス情報が、前記アクセサリー・デバイス・コネクターによってサポートされる１つ以上の機能の指示を含む、方法。
【請求項４】
請求項１記載の方法において、前記受け取ったアクセサリー・デバイス情報が、アクセサリー・デバイスの給電構成、電力消費、および／またはアプリケーション情報を含む、方法。
【請求項５】
請求項１記載の方法であって、更に、
認証要求を前記ホスト・デバイスから前記アクセサリー・デバイスに送るステップと、
前記認証要求に対する応答を前記アクセス・デバイスから受けるステップと、
前記ホスト・デバイスにおいて前記アクセサリー・デバイスを認証することを試みるステップであって、前記アクセサリー・デバイス・コネクターの１つ以上のピンを構成設定することを前記アクセサリー・デバイスに命令することは、前記アクセサリー・デバイスが認証されたときに実行される、ステップと、
を含む、方法。
【請求項６】
ホスト・デバイスのコネクターに接続するために、アクセサリー・デバイスのコネクターを構成設定する方法であって、
アクセサリー・デバイス情報を前記ホスト・デバイスに送るステップであって、前記アクセサリー・デバイスが、前記ホスト・デバイスに解除可能に取り付けられている、ステップと、
前記ホスト・デバイスから、前記アクセサリー・デバイスを前記ホスト・デバイスに接続するために前記ホスト・デバイスによって選択された１つ以上の機能をサポートするように前記アクセサリー・デバイス・コネクターの１つ以上のピンを構成設定する命令を受けるステップであって、該１つ以上の機能が、１つ以上のホスト・デバイス使用許諾に部分的に基づいて選択される、ステップと、
前記アクセサリー・デバイス・コネクターの前記１つ以上のピンを構成設定するステップであって、前記構成設定が、前記アクセサリー・デバイス・コネクターにおいて前記ホスト・デバイスによって選択された１つ以上の機能をイネーブルすることを含む、ステップと、
前記１つ以上のホスト・デバイス使用許諾のうちのホスト・デバイス使用許諾が更新されたかアップグレードされたこと、または新たなホスト・デバイス使用許諾が利用可能であること、を決定するまたはその指示を受けるステップと、
前記更新された、アップグレードされたまたは新たなホスト・デバイス使用許諾に部分的に基づいて、１つ以上の第２の選択された機能が利用可能であるという命令を、前記ホスト・デバイスに送るステップと、
前記１つ以上の第２の選択された機能をサポートするように、前記アクセサリー・デバイス・コネクターの１つ以上のピンを構成設定する命令を前記アクセサリー・デバイスから受けるステップと、
前記１つ以上の第２の選択された機能をサポートするように、前記アクセサリー・デバイス・コネクターの１つ以上のピンを構成設定するステップと、
を含む、方法。
【請求項７】
請求項６記載の方法において、前記アクセサリー・デバイス情報が、アクセサリー・デバイスの給電構成、電力消費、および／またはアプリケーション情報を含む、方法。
【請求項８】
請求項６記載の方法において、前記指示された１つ以上の機能が、前記アクセサリー・デバイス・コネクターによってサポートされている少なくとも１つの機能を除外する、方法。
【請求項９】
請求項８記載の方法において、更に、
アクセサリー・デバイスの電力消費、給電構成、および／またはアプリケーション情報に部分的に基づいて、前記除外された少なくとも１つの機能を判定するステップ、
を含む、方法。
【請求項１０】
ホスト・デバイスであって、
コントローラーと、
コンピュータ実行可能命令を格納した１つ以上のコンピュータ読み取り可能記憶媒体であって、前記コンピュータ実行可能命令が、前記ホスト・デバイスに方法を実行させる、１つ以上のコンピュータ読み取り可能記憶媒体と、
を含み、前記方法が、
前記ホスト・デバイスに解除可能に取り付けられているアクセサリー・デバイスからアクセサリー・デバイス情報を受け取るステップと、
前記アクセサリー・デバイス情報に部分的に基づいて、前記ホスト・デバイスを前記アクセサリー・デバイスに接続するためにイネーブルすべき１つ以上の機能を選択するステップであって、該１つ以上の機能を選択することが更に、１つ以上のホスト・デバイス使用許諾に部分的に基づく、ステップと、
前記ホスト・デバイスのコネクターの１つ以上のピンを構成設定するステップであって、前記構成設定が、前記ホスト・デバイスのコネクターにおいて、前記選択された１つ以上の機能をイネーブルすることを含む、ステップと、
前記選択された１つ以上の機能をサポートするように、前記アクセサリー・デバイスのコネクターの１つ以上のピンを構成設定することを、前記アクセサリー・デバイスに命令するステップと、
前記１つ以上のホスト・デバイス使用許諾のうちのホスト・デバイス使用許諾が更新されたかアップグレードされたこと、または新たなホスト・デバイス使用許諾が利用可能であること、を決定するまたはその指示を受けるステップと、
前記更新された、アップグレードされたまたは新たなホスト・デバイス使用許諾に部分的に基づいて、前記ホスト・デバイスを前記アクセサリー・デバイスに接続するためにイネーブルされる１つ以上の機能を選択するステップと、
前記ホスト・デバイス・コネクターの１つ以上のピンを構成設定するステップであって、前記構成設定が前記ホスト・デバイスの前記コネクターにおいて前記１つ以上の第２の選択された機能をイネーブルすることを含む、ステップと、
前記１つ以上の第２の選択された機能をサポートするように、前記アクセサリー・デバイス・コネクターの１つ以上のピンを構成設定することを前記アクセサリー・デバイスに命令するステップと、
を含む、ホスト・デバイス。
【請求項１１】
請求項１０記載のホスト・デバイスにおいて、前記方法が、更に、前記１つ以上のホスト・デバイス使用許諾に従って、前記ホスト・デバイスおよび前記アクセサリー・デバイスを動作させるステップを含む、ホスト・デバイス。